(57)【要約】【課題】  四角筒形状の搬送箱１に収納した際、余分な隙間が少なく、よって、効率的に収納および搬送され、運搬コストの大幅な低減を図ることのできる飲食物収納容器を提供する。【解決手段】  筒状胴部１１と、該筒状胴部１１の下端に液密に接続した平坦底部１６と、前記筒状胴部１１の上端に液密に接続した開口用天井部１７とで容器本体を形成すると共に、外径の最も大きい部分である胴部１１を正六角筒形状にし、胴部１１より小径で、且つ密封用蓋付開口部１３を上端に有する煙突状部１２を天井部１７の中央に立設すると共に煙突状部１２内に位置する天井部１７に連通孔１８を設けてある。【選択図】      図７
0003116306.tif 000002
【実用新案登録請求の範囲】
【請求項１】
筒状胴部（１１）と、該筒状胴部（１１）の下端に液密に接続した平坦底部（１６）と、前記筒状胴部（１１）の上端に液密に接続した開口用天井部（１７）とで容器本体を形成すると共に、外径の最も大きい部分である胴部（１１）を正六角筒形状にした飲食物収納容器。
【請求項２】
筒状胴部（１１）と、該筒状胴部（１１）の下端に液密に接続した平坦底部（１６）と、前記筒状胴部（１１）の上端に液密に接続した開口用天井部（１７）とで容器本体を形成すると共に、外径の最も大きい部分である胴部（１１）を正六角筒形状にし、胴部（１１）より小径で、且つ密封用蓋付開口部（１３）を上端に有する煙突状部（１２）を天井部（１７）の中央に立設すると共に煙突状部（１２）内に位置する天井部（１７）に連通孔（１８）を設けた飲食物収納容器。
【考案の詳細な説明】
【技術分野】
【０００１】
本考案は、ビール、ジュース、コーヒー等の飲料をはじめとする各種の食物を収納する飲食物収納容器に関するものである。
【背景技術】
【０００２】
図１乃至図３を参照して説明する。ビール、ジュースあるいはコーヒー等などの飲料をはじめとする各種の食物の多くは、缶やペットボトル等の胴部が円筒形の容器２０に収納されている。そして、この円筒形の容器２０は、複数が四角筒形状の搬送箱１に入れられ、製造工場から販売店などに搬送されている。
【考案の開示】
【考案が解決しようとする課題】
【０００３】
しかし、こうした従来の容器２０には改善すべき問題がある。すなわち、円筒形である容器２０を、四角筒形状である搬送箱１に収納するので、各容器２０と容器２０の間には必然的に余分な隙間Ｇが形成され、当該搬送箱１の収納スペースに無駄が生じている。従って、この無駄な隙間Ｇを少なくすれば、より多くの容器を搬送箱１に収納することができることになり、収納効率および搬送効率を向上させて運搬コストを大幅に低減することができる。
【０００４】
本考案はこうした問題に鑑み創案されたもので、四角筒形状の搬送箱１に収納した際、余分な隙間が少なく、よって、効率的に収納および搬送され、運搬コストの大幅な低減を図ることのできる容器を提供することを課題とする。
【課題を解決するための手段】
【０００５】
図４乃至図６を参考にして説明する。請求項１に記載の飲食物収納容器は、横断面が正六角形の筒状胴部１１と、該筒状胴部１１の下端に液密に接続した平坦底部１６と、前記筒状胴部１１の上端に液密に接続した開口用天井部１７とで容器本体を形成したものである。
【０００６】
図７及び図８参考にして説明する。請求項２に記載の飲食物収納容器は、筒状胴部１１と、該筒状胴部１１の下端に液密に接続した平坦底部１６と、前記筒状胴部１１の上端に液密に接続した開口用天井部１７とで容器本体を形成すると共に、外径の最も大きい部分である胴部１１を正六角筒形状にし、胴部１１より小径で、且つ密封用蓋付開口部１３を上端に有する煙突状部１２を天井部１７の中央に立設すると共に煙突状部１２内に位置する天井部１７に連通孔１８を設けたものである。
【考案の効果】
【０００７】
請求項１に記載の飲食物収納容器１０は、少なくとも、外径の最も大きい部分である胴部１１を正六角筒形状としたので、四角筒形状の搬送箱１に、無駄な隙間Ｇの発生を少なくした状態で収納することができる。すなわち、図６に示すように、各飲食物収納容器１０と飲食物収納容器１０とを接触させた状態で搬送箱１に収納することができる。従って、当該搬送箱１に、より多くの飲食物収納容器１０を収めることができ、収納効率および搬送効率を高めて、運搬コストを大幅に低減することができる。
【０００８】
なお、飲食物収納容器１０と搬送箱１の側壁１ａとの間にはいくつかの隙間Ｇが形成されるが、各飲食物収納容器１０間に、当該隙間Ｇは形成されないので、全隙間Ｇの容積は、従来技術のそれと比較して大幅に少ない。
【０００９】
また、各飲食物収納容器１０間に隙間Ｇが形成されないので、搬送箱１を横倒し状態に載置しても、その中の飲食物収納容器１０は転げることなく、正規の姿勢を維持することができる。
【００１０】
さらに、飲食物収納容器１０と搬送箱１の側壁１ａとの間に隙間Ｇが形成されるので、その隙間Ｇに手や指を差し込むことによって、当該飲食物収納容器１０を容易に掴み出すことができる。
【００１１】
請求項２に記載の飲食物収納容器１０は、請求項１に記載の考案と同様に、外径の最も大きい部分である胴部１１を正六角形としたので、四角筒形状の搬送箱１に、無駄な隙間Ｇの発生を少なくした状態で、より多くを収納することができる。これにより、収納効率と搬送効率の向上を図り、運搬コストを大幅に低減することができる。
【００１２】
また、各飲食物収納容器１０間に隙間Ｇが形成されないので、搬送箱１を横倒し状態に載置しても、正規の姿勢を維持することができる。さらに、飲食物収納容器１０と搬送箱１の側壁１ａとの間に形成される隙間Ｇに手や指を差し込んで、当該飲食物収納容器１０を容易に掴み出すことができる。
【００１３】
なお、この飲食物収納容器１０は、開口部１３を有する煙突状部１２を備えており、当該開口部１３から飲料などを出し入れする。
【考案を実施するための最良の形態】
【００１４】
本考案に係る飲食物収納容器１０の一実施形態を、図４乃至図６に示す。これは、ビール、ジュースあるいはコーヒーなどの飲料を収納するもので、胴部１１のみからなる飲食物収納容器１０であり、当該胴部１１を、正六角筒形状としたものである。また、その天井部１７には、いわゆるステイオンタブ１４が設けられ、当該タブを開放することにより収納している飲料を飲用するようにしている。
【００１５】
この飲食物収納容器１０は、胴部１１を正六角筒形状としたので、四角筒形状の搬送箱１に、無駄な隙間Ｇの発生を少なくした状態で収納することができる（図６参照）。これにより、当該搬送箱１に、より多くの飲食物収納容器１０を収めることができ、収納効率および搬送効率を高め、運搬コストを大幅に低減することができる。
【００１６】
また、各飲食物収納容器１０間に隙間Ｇが形成されないので、搬送箱１を横倒し状態に載置しても、その中の飲食物収納容器１０は転げることなく、正規の姿勢を維持することができる。さらに、飲食物収納容器１０と搬送箱１の側壁１ａとの間に隙間Ｇが形成されるので、その隙間Ｇに手や指を差し込んで当該飲食物収納容器１０を容易に掴み出すことができる。
【００１７】
本考案に係る飲食物収納容器１０の変形実施形態を、図７および図８に示す。これは、ジュースなどの飲料を収納するペットボトルと称される飲食物収納容器１０であって、外径の最も大きい部分である胴部１１を、正六角筒形状としている。また、当該胴部１１の上端から、それより小径で、上端開口部１３を有する煙突状部１２を連設している。なお、煙突状部１２には、キャップ１５を螺合する。
【００１８】
この飲食物収納容器１０は、外径の最も大きい部分である胴部１１を正六角形としたので、図６に示す場合と同じように、四角筒形状の搬送箱１に、無駄な隙間Ｇの発生を少なくした状態で、より多くを収納することができる。従って、収納効率と搬送効率の向上を図り、運搬コストを大幅に低減することができる。
【００１９】
また、各飲食物収納容器１０間に隙間Ｇが形成されないので、搬送箱１を横倒し状態に載置しても、正規の姿勢を維持することができ、さらに、飲食物収納容器１０と搬送箱１の側壁１ａとの間に形成される隙間Ｇに手や指を差し込んで、当該飲食物収納容器１０を容易に掴み出すことができる。
【００２０】
なお、この飲食物収納容器１０は、開口部１３を有する煙突状部１３を備えており、当該開口部１３から飲料を出し入れする。
【００２１】
本考案に係る飲食物収納容器１０の形状は、上記二つの実施形態に示したものに限定されるものではなく、少なくとも、胴部１１を備え、その胴部１１が他の部位より大径であるもの全てを含む。また、その材質も缶（鉄、アルミ）やペットボトルに限定されず、例えば、他の樹脂や紙あるいは木材など、各種のものを含む。
【図面の簡単な説明】
【００２２】
【図１】従来例に係る円筒形の容器を部分断面正面図である。
【図２】図１に示す容器の部分断面平面図である。
【図３】図１および図２に示す容器を、搬送箱に収納した状態を示す平面図である。
【図４】本考案に係る飲食物収納容器に一例を示す部分断面正面図である。
【図５】図４に示す飲食物収納容器の部分断面平面図である。
【図６】図４および図５に示す飲食物収納容器を、搬送箱に収納した状態を示す平面図である。
【図７】本考案に係る飲食物収納容器の他例を示す部分断面正面図である。
【図８】図７に示す飲食物収納容器の部分断面平面図である。
【符号の説明】
【００２３】
１        搬送箱
１ａ      側壁
１０      飲食物収納容器
１１      筒状胴部
１２      煙突状部
１３      開口部
１４      ステイオンタブ
１５      キャップ
１６      平坦底部
１７      天井部
１８      連通孔
２０      円筒形の容器
Ｇ        隙間
【図１】
0003116306.tif 000003
【図２】
0003116306.tif 000004
【図３】
0003116306.tif 000005
【図４】
0003116306.tif 000006
【図５】
0003116306.tif 000007
【図６】
0003116306.tif 000008
【図７】
0003116306.tif 000009
【図８】
0003116306.tif 000010